(57)【要約】【課題】商品陳列棚に商品価格等を表示する装置であって、所要部品数が少なく低コストで提供できると共に、使い勝手が良いものを提供する。【解決手段】商品陳列棚１の前側縁の両端部に一対の支持軸５を互いに向かい合わせに突設すると共に、前側縁の長手方向略中間部に爪片８を突設し、表示具１０はカード保持部１３が前面に形成され、該カード保持部の背後に軸受部１４が形成されると共に、凹部１５ａ，１５ｂ，１５ｃからなる係合部１５が該軸受部の外周に形成され、該表示具の軸受部に前記支持軸５を遊嵌することにより該表示具が回転可能なるように支持され、該表示具の長手方向中間部を前方に引っ張って弾性的に撓ませることで係合部１５が爪片８から離間し、その状態で表示具を回転させると共に弾性復元させて爪片が係合する凹部を変えることで表示カードの表示角度が設定変更される。【選択図】図５
2014054353.tif 000002
【特許請求の範囲】
【請求項１】
商品陳列棚の前側縁の両端部に一対の支持軸を互いに向かい合わせに突設すると共に、該商品陳列棚の前側縁の長手方向略中間部に爪片を突設し、合成樹脂を押出成形することにより等断面に形成される表示具は、表示カードを保持するカード保持部が前面に形成され、該カード保持部の背後に軸受部が形成されると共に、前記爪片が択一的に係合し得る少なくとも３つの凹部からなる係合部が該軸受部の外周に形成され、該表示具の軸受部の両端部に前記支持軸を遊嵌することにより該表示具が該商品陳列棚の前側縁にて鉛直面内で回転可能なるように支持され、該表示具の長手方向中間部を前方に引っ張って弓状に弾性的に撓ませることで前記係合部が前記爪片から離間し、その状態で該表示具を回転させると共に該表示具を直線状に弾性復元させて前記爪片が係合する凹部が変えられることで前記表示カードの表示角度が設定変更されるようにしたことを特徴とする商品陳列棚の表示装置。
【発明の詳細な説明】
【技術分野】
【０００１】
本発明は、スーパーマーケット、コンビニエンスストア等の店舗において、商品陳列棚に並べられた商品の商品名や価格等の情報を表示するために該商品陳列棚の前縁に設けられる表示装置の構造に関するものである。
【背景技術】
【０００２】
スーパーマーケット、コンビニエンスストア等の店舗に配置される商品陳列棚には、その陳列商品の商品名や商品価格等の情報が表示された表示カードを保持するためのカード保持部が当該商品陳列棚の前縁に設けられている。
また、下記特許文献１に示された表示装置は、商品陳列棚の前側縁に多角形棒状の取付杆が設けられ、該取付杆にカード保持部が鉛直面内で回転可能なるように支持され、その回転角度を変更することで表示カードを常に見易く設定できるようにしたものである。また下記特許文献１に示されたカードレール取付装置は、取付ネジを締めなおすことによりカード保持部（カードレール）の向きが上下に調節され、表示カードを見易いように設定できるものである。
【特許文献１】特公平７−５１号公報
【特許文献２】特公平７−１２３２８号公報
【発明の開示】
【発明が解決しようとする課題】
【０００３】
上記のように表示カードの向きを調節可能にすることは公知技術であるが、そのための従来の構成は、特許文献１に示された構造では多角形棒状の取付杆を必要とするために製造コストが掛かるものであったり、部品点数が増え製造コストおよび製品管理コスト等が増すものであったり、或いは、特許文献１に示された構造のように表示カードの向きを設定変更するのに手間が掛かるものであった。
そこで本発明は、低コストで提供でき、しかも、向きを簡単に設定変更することができる商品陳列棚の表示装置を提供しようとするものである。
【課題を解決するための手段】
【０００４】
そのために請求項１に記載した商品陳列棚の表示装置は、商品陳列棚の前側縁の両端部に一対の支持軸を互いに向かい合わせに突設すると共に、該商品陳列棚の前側縁の長手方向略中間部に爪片を突設し、合成樹脂を押出成形することにより等断面に形成される表示具は、表示カードを保持するカード保持部が前面に形成され、該カード保持部の背後に軸受部が形成されると共に、前記爪片が択一的に係合し得る少なくとも３つの凹部からなる係合部が該軸受部の外周に形成され、該表示具の軸受部の両端部に前記支持軸を遊嵌することにより該表示具が該商品陳列棚の前側縁にて鉛直面内で回転可能なるように支持され、該表示具の長手方向中間部を前方に引っ張って弓状に弾性的に撓ませることで前記係合部が前記爪片から離間し、その状態で該表示具を回転させると共に該表示具を直線状に弾性復元させて前記爪片が係合する凹部が変えられることで前記表示カードの表示角度が設定変更されるようにしたことを特徴とする。
【発明の効果】
【０００５】
本発明に係る商品陳列棚の表示装置は、所要部品数が少ないことから低コストで提供できると共に、表示具の向きが簡単に設定変更でき使い勝手が良い。
【図面の簡単な説明】
【０００６】
【図１】本発明に係る商品陳列棚の表示装置の実施形態を示した分解斜視図。
【図２】本発明に係る商品陳列棚の表示装置の実施形態を示した斜視図。
【図３】図２の表示具を引っ張ったときの表示装置の斜視図。
【図４】図２の表示具を引っ張ったときの表示装置の断面図。
【図５】本発明に係る商品陳列棚の表示装置の断面図。
【図６】本発明に係る商品陳列棚の表示装置の断面図。
【図７】本発明に係る商品陳列棚の表示装置の断面図。
【図８】本発明に係る商品陳列棚の表示装置の他の実施形態を示した断面図。
【発明を実施するための最良の形態】
【０００７】
次に本発明の実施形態を図面に従い説明する。この商品陳列棚は、図１に示したように、鋼板をプレス加工し、長方形板部２の前側縁および後側縁をそれぞれ下方に折り曲げることで前側面３、後側面４を形成すると共に、先端部に支持軸５が固着された一対の横断面鈎状の鋼板縁部材６が該長方形板部２の両側縁にスポット溶接して固着され、該支持軸５が該商品陳列棚１の前側縁の両端部に互いに向かい合わせに突設される。７は前側面３にスポット溶接により固着される横断面略Ｌ字形の前側縁部材で、該前側縁部材の長手方向略中間部に切込を入れることにより爪片８が突設される。なお、該長方形板部２は折曲鋼板からなる補強部材（図示しない）を下面にスポット溶接することで補強されている。
【０００８】
一方、１０はポリカーボネイト等の合成樹脂を押出成形することにより等断面直線状に形成された表示具である。該表示具１０は、前面に定幅平板状のカード保持部１３が形成され、該カード保持部１３の両側縁に相対するように一対の長溝状のレール状部１２が形成され、該レール状部１２により該カード保持部１３上に表示カード１１が保持されるようにしている。また、該カード保持部１３の背後に前記支持軸５が遊嵌し得る軸受部１４を形成すると共に、該軸受部１４を中心とする円周上に３つの凹部１５ａ，１５ｂ，１５ｃを並設してなる係合部１５を該軸受部１４の外周部位に形成し、該凹部１５ａ，１５ｂ，１５ｃに前記爪片８が択一的に係合し得るようにしている。
【０００９】
このように合成樹脂により等断面直線状に成形された表示具１０は、弾力性があるので、商品陳列棚１に取り付けるにあたり、弾性復元し得る範囲内で一時的に弓状に撓ませ、図２に示したように、軸受部１４の両端部に前記支持軸５を遊嵌させ、該表示具１０を直線状に弾性復元させる。これにより該表示具１０は支持軸５を中心として回転可能なるように支持され、該表示具１０が直線状に弾性復元することにより、３つの凹部１５ａ，１５ｂ，１５ｃの内の一つに爪片８が係合することで、その回転が制止された状態となる。
【００１０】
この表示具１０の回転角度（表示角度）を必要に応じて設定変更するに際しては、該表示具１０の長手方向中間部を手で摘んで前方に軽く引っ張ることにより、該表示具１０を図３に示したように弓状に弾性的に撓ませ、図４に示したように前記係合部１５が前記爪片８から離間させる。この状態で表示カード１１が所望の方向を向くように該表示具１０を鉛直面内で回転させてから手を離し、該表示具１０を直線状に弾性復元させる。これにより、爪片８が係合する凹部１５ａ，１５ｂ，１５ｃが変えることができる。例えば図５に示したように、爪片８を凹部１５ａに係合させた場合は、表示角度ａが６５度に設定されるので、多段に設けられる商品陳列棚の内で下方に位置する商品陳列棚である場合に表示カード１１を見易くすることができる。また、爪片８を凹部１５ｂに係合させた場合は、図６に示したように表示角度ｂが３５度に設定されるので、多段に設けられる商品陳列棚の内で人の目の高さよりも少し下に位置する商品陳列棚である場合に表示カード１１を見易くすることができ、爪片８を凹部１５ｃに係合させた場合は、図７に示したように表示角度ｃが５度に設定されるので、上方に位置する商品陳列棚である場合に表示カード１１を見易くすることができる。このように簡単な操作で表示具１０の表示角度を自由に設定変更することができる。なお、係合部１５の凹部の数を３個以上設けることにより、表示角度をさらに多段に設定変更できるようになることは言うまでもない。
【００１１】
この表示カード１１はカード保持部１３に周知の止着手段によって移動不能に止着できるが、表示カード１１またはカード保持部１３中に永久磁石を埋設し、磁力で該表示カードがカード保持部１３に止着されるようにすることで、商品価格等の表示内容を容易に変更できるようにしてもよい。なお、上記商品陳列棚１の上面前縁で前記前側面３と前側縁部材７との間に形成された隙間１６には、落下防止用の柵状部材（図示しない）を陳列商品の必要に応じて挿し込むことができる。
【００１２】
一方、図８に示した実施形態は、上記商品陳列棚１よりも薄手に形成されたコンビニエンスストア用の商品陳列棚１′に対し、表示具１０′を装着した例を示す。この場合も表示具１０′は合成樹脂の押出成形により等断面に形成される。同図中、前記符号と同一符号は同一部分または相当部分を示す。
【００１３】
このように本発明に係る商品陳列棚の表示装置は、合成樹脂により等断面に形成された表示具１０の長手方向中間部を引っ張ることにより表示カードの表示角度を簡単に設定変更でき、商品陳列棚の高さに応じて表示カードを常に見易い状態にすることができる。また、表示具１０には、合成樹脂の押出成形によりカード保持部１３、軸受部１４、係合部１５等が一体に形成されるので、表示装置としての所要部品数が最少限に抑えられ、製造コストが軽減されて低コストで提供できるようになるなど有益な効果がある。
【符号の説明】
【００１４】
１                        商品陳列棚
５                        支持軸
７                        前側縁部材
８                        爪片
１０                      表示具
１１                      表示カード
１２                      レール状部
１３                      カード保持部
１４                      軸受部
１５                      係合部
１５ａ，１５ｂ，１５ｃ    凹部
【図１】
2014054353.tif 000003
【図２】
2014054353.tif 000004
【図３】
2014054353.tif 000005
【図４】
2014054353.tif 000006
【図５】
2014054353.tif 000007
【図６】
2014054353.tif 000008
【図７】
2014054353.tif 000009
【図８】
2014054353.tif 000010